(57)【要約】【目的】水等が貯留されていない状態では小さく折り畳むことができるとともに、断熱性をも有するウォーターコンテナとする。【構成】水等の液体を貯留する折り畳み可能なコンテナ本体１００Ａと、コンテナ本体１００Ａの１つの側面１１０Ａに設けられた蛇口取付部１２０Ａに取り付けられる蛇口３００Ａと、コンテナ本体１００Ａを収納する折り畳み可能な収納ケース２００Ａとを備え、収納ケース２００Ａには、コンテナ本体１００Ａを収納ケース２００Ａに収納した状態で蛇口取付部１２０Ａを外部に出させる開口部２１１Ａが開設され、開口部２１１Ａから蛇口取付部１２０Ａが外部に出た状態で蛇口３００Ａが蛇口取付部１２０Ａに取り付けられる。【選択図】      図１
2005008261.tif 000002
【特許請求の範囲】
【請求項１】
水等の液体を貯留する折り畳み可能なコンテナ本体と、このコンテナ本体の側面に設けられた蛇口取付部に取り付けられる蛇口と、前記コンテナ本体を収納する折り畳み可能な収納ケースとを具備しており、前記収納ケースには、コンテナ本体を収納ケースに収納した状態で前記蛇口取付部を外部に出させる開口部が開設されており、この開口部から蛇口取付部が外部に出た状態で蛇口が蛇口取付部に取り付けられ、前記収納ケースは断熱構造になっていることを特徴とするウォーターコンテナ。
【請求項２】
前記収納ケースにコンテナ本体を収納した状態で、収納ケースとコンテナ本体との間に保冷剤を入れ込むことが可能な空間が確保できることを特徴とする請求項１記載のウォーターコンテナ。
【請求項３】
前記コンテナ本体の天面には、蛇口取付部より大きな大型開口部が設けられており、この大型開口部には着脱自在のコンテナ蓋体が設けられていることを特徴とする請求項１又は２記載のウォーターコンテナ。
【請求項４】
前記コンテナ本体には、肩掛けベルトが取り付けられるベルト取付部が設けられていることを特徴とする請求項１、２又は３記載のウォーターコンテナ。
【発明の詳細な説明】
【０００１】
【発明の属する技術分野】
本発明は、キャンプ等のアウトドアにおいて水等の液体を持ち運ぶ際に使用されるウォーターコンテナに関する。
【０００２】
【従来の技術】
キャンプ等のアウトドアで使用されるウォーターコンテナには、いわゆるハードタイプのものと、ソフトタイプのものとがあった。前記ハードタイプのウォーターコンテナは、クーラーと称されるものであって、壁面に断熱材が入れられたものや、保冷機能のない水タンク等である（特許文献１参照）。また、前記ソフトタイプのウォーターコンテナは、折り畳み可能な例えばポリエチレン等から構成されている。
【０００３】
【特許文献１】
特開平８−２５３２２１号公報
【０００４】
【発明が解決しようとする課題】
しかしながら、ハードタイプのものは、内部に水等が貯留されていない状態でも、その大きさは変わらない。このため、ハードタイプのウォーターコンテナは、キャンプら帰りにおいては場所をとるだけのものとなっていた。また、ソフトタイプのものは、水等が貯留されていない状態では、小さく折り畳むことができるので、上述のような問題はないが、断熱性に欠けるため、夏場に冷たい水等を保管しておくことができなかった。
【０００５】
本発明は、上記事情に鑑みて創案されたもので、水等が貯留されていない状態では小さく折り畳むことができるとともに、断熱性をも有したウォーターコンテナを提供することを目的としている。
【０００６】
【課題を解決するための手段】
本発明に係るウォーターコンテナは、水等の液体を貯留する折り畳み可能なコンテナ本体と、このコンテナ本体の側面に設けられた蛇口取付部に取り付けられる蛇口と、前記コンテナ本体を収納する折り畳み可能な収納ケースとを備えており、前記収納ケースには、コンテナ本体を収納ケースに収納した状態で前記蛇口取付部を外部に出させる開口部が開設されており、この開口部から蛇口取付部が外部に出た状態で蛇口が蛇口取付部に取り付けられ、前記収納ケースは断熱構造になっている。
【０００７】
【発明の実施の形態】
図１は本発明の第１の実施の形態に係るウォーターコンテナの概略的分解斜視図、図２は本発明の第１の実施の形態に係るウォーターコンテナの概略的斜視図、図３は本発明の第２の実施の形態に係るウォーターコンテナの概略的分解斜視図、図４は本発明の第３の実施の形態に係るウォーターコンテナに用いられるコンテナ本体の概略的斜視図、図５は本発明の実施の形態に係るウォーターコンテナ用スタンドに用いられるコンテナ本体を折り畳んだ状態を示す概略的斜視図、図６は本発明の第１〜３の実施の形態に係るウォーターコンテナをウォーターコンテナ用スタンドに載置した状態を示す概略的正面図である。
【０００８】
本発明の第１の実施の形態に係るウォーターコンテナＡは、図１に示すように、水等の液体を貯留する折り畳み可能なコンテナ本体１００Ａと、このコンテナ本体１００Ａの１つの側面１１０Ａに設けられた蛇口取付部１２０Ａに取り付けられる蛇口３００Ａと、前記コンテナ本体１００Ａを収納する折り畳み可能な収納ケース２００Ａとを備えており、前記収納ケース２００Ａには、コンテナ本体１００Ａを収納ケース２００Ａに収納した状態で前記蛇口取付部１２０Ａを外部に出させる開口部２１１Ａが開設されており、この開口部２１１Ａから蛇口取付部１２０Ａが外部に出た状態で蛇口３００Ａが蛇口取付部１２０Ａに取り付けられるようになっている。
【０００９】
前記コンテナ本体１００Ａは、折り畳み可能な合成樹脂、例えばポリエチレンによって略立方体状に形成されている。このコンテナ本体１００Ａの１つの側面１１０Ａの下端部には、外周面に雄ねじ１２１Ａが形成された円筒形状の蛇口取付部１２０Ａが突出している。この蛇口取付部１２０Ａの長さ、すなわち突出量は、後述する収納ケース２００Ａにコンテナ本体１００Ａを収納した際に、収納ケース２００Ａの開口部２１１Ａから蛇口３００Ａを取り付けるのに十分な量に設定されている。
【００１０】
一方、収納ケース２００Ａは、上面が開放されたケース本体２１０Ａと、このケース本体２１０Ａの上縁部に取り付けられたケース蓋体２２０Ａと、このケース蓋体２２０Ａと前記ケース本体２１０Ａとを介意するためのスライドファスナ２３０Ａと、前記ケース本体２１０Ａに取り付けられた肩掛けベルト２４０Ａとを有している。
【００１１】
前記ケース本体２１０Ａは、内側にコンテナ本体１００Ａを収納可能な略立方体状に形成されている。かかるケース本体２１０Ａの４つの側面２１２Ａ、１２３Ａ、２１４Ａ、２１５Ａ及び底面の内部には、折れ曲がることができる断熱材（図示省略）が充填されている。また、このケース本体２１０Ａの内側面には、防水シート（図示省略）が縫製されている。
【００１２】
前記ケース蓋体２２０Ａは、ケース本体２１０Ａの１つの側面２１４Ａの上縁部に縫製で取り付けられている。従って、このケース蓋体２２０Ａは、ケース本体２１０Ａを開放することも閉塞することもできるようになっている。なお、このケース蓋体２２０Ａには、前記側面２１２Ａ、１２３Ａ、２１４Ａ、２１５Ａ及び底面と同様の折れ曲がることができる断熱材（図示省略）が充填されている。また、このケース蓋体２２０Ａの内側面には、防水シート（図示省略）が縫製されている。
【００１３】
従って、このように構成された収納ケース２００Ａは、断熱構造になっている。
【００１４】
前記スライドファスナ２３０Ａは、ケース本体２１０Ａの３つの側面２１３Ａ、２１２Ａ、２１５Ａの上縁部と、それに対応するケース蓋体２２０Ａの３つの縁部に取り付けられている。従って、スライダー２３１Ａを操作することで、ケース蓋体２２０Ａをケース本体２１０Ａに対して開閉することができるようになっている。
【００１５】
また、前記ケース本体２１０Ａの１つの側面、望ましくはケース蓋体２２０Ａが縫製されている側面２１４Ａとは対向する側面２１５Ａの下端部には、コンテナ本体１００Ａの蛇口取付部１２０Ａを外に出すための開口部２１１Ａが開設されている。この開口部２１１Ａは、コンテナ本体１００Ａを収納ケース２００Ａに収納した場合に、コンテナ本体１００Ａの蛇口取付部１２０Ａが存在する位置に開設されている。
【００１６】
さらに、前記肩掛けベルト２４０Ａは、長さを調節できる構成になっており、開口部２１１Ａやケース蓋体２２０Ａが設けられていない対向する２つの側面２１３Ａ、２１５Ａの上端部に取り付けられた取付環２４１Ａを介して収納ケース２００Ａに取り付けられている。
【００１７】
なお、この収納ケース２００Ａは、全体が布等の柔軟で折り畳み可能な素材で構成されている。従って、内部にコンテナ本体１００Ａを収納した状態でも、コンテナ本体１００Ａとケース本体２００Ａとの間には図示しない保冷剤を入れ込むことができるようになっている。
【００１８】
一方、前記蛇口３００Ａは、内周面に雌ねじが形成された取付部３１０Ａと、この取付部３１０Ａに連結されたノズル３２０Ａと、このノズル３２０Ａを開閉するコック３３０Ａとを有している。前記雌ねじは、蛇口取付部１２０Ａの雄ねじ１２１Ａに対応するものであることはいうまでもない。また、この蛇口３００Ａを蛇口取付部１２０Ａに取り付ける際には、パッキン４００Ａを両者の間に介在させることによって、水漏れを防止するようになっている。
【００１９】
かかる構成からなるウォーターコンテナＡは、次のようにして使用する。まず、コンテナ本体１００Ａへの水等の貯留は、側面１１０Ａを上向きにした状態、すなわち蛇口取付部１２０Ａを上向きにした状態で、蛇口取付部１２０Ａから行う。水等が貯留されたコンテナ本体１００Ａをそのままの状態、すなわち蛇口取付部１２０Ａが上向きのままの状態で、収納ケース２００Ａに収納する。そして、収納ケース２００Ａの開口部２１１Ａから蛇口取付部１２０Ａを外にだし、蛇口取付部１２０Ａにパッキン４００Ａを介して蛇口３００Ａを取り付ける（図２参照）。
【００２０】
この状態になると、コンテナ本体１００Ａはどのような向きにしてもコック３３０Ａを閉めている限り、貯留された水等は外に漏れでない。保冷剤は、この状態でコンテナ本体１００Ａと収納ケース２００Ａとの間に入れ込む。そして、ケース蓋体２２０Ａをスライドファスナ２３０Ａを用いて閉じればよい。
【００２１】
貯留した水等を取り出すには、蛇口３００Ａのノズル３２０Ａが下を向く状態、すなわちケース蓋体２２０Ａが上面となるようにして、蛇口３００Ａのコック３３０Ａを開けることで行う。
【００２２】
水等が貯留されていない状態では、コンテナ本体１００Ａを収納ケース２００Ａに収納したままコック３３０Ａを開けて、上や横方向から押しつぶすようにすれば、このウォーターコンテナＡはコンパクトになる。また、コンテナ本体１００Ａを収納ケース２００Ａから取り出して別々に折り畳むことも可能である。
【００２３】
次に、図３を参照しつつ、本発明の第２の実施の形態に係るウォーターコンテナＢについて説明する。
このウォーターコンテナＢが、上述したウォーターコンテナＡと相違する点は、コンテナ本体１００Ｂの大きさと、収納ケース２００Ｂの仕切壁２５０Ｂである。
【００２４】
第２の実施の形態に係るウォーターコンテナＢのコンテナ本体１００Ｂは、収納ケース１００Ａの約１／２の大きさに設定されている。具体的には、このコンテナ本体１００Ｂの奥行きが収納ケース２００Ｂの奥行きの約１／２になっているのである。また、前記収納ケース２００Ｂのケース本体２１０Ｂの内部には、開口部２１１Ｂが開設された側面１２１Ｂと平行に仕切壁２５０Ｂが設けられている。この仕切壁２５０Ｂと、開口部２１１Ｂが開設された側面２１２Ｂとの間の距離は、コンテナ本体１００Ｂの奥行き寸法より若干大きく設定されている。
【００２５】
このようなウォーターコンテナＢであると、開口２１１Ｂが開設された側面２１２Ｂと仕切壁２５０Ｂとで挟まれる空間にはコンテナ本体１００Ｂを、残りの空間には缶飲料や保冷が必要な食品等をそれぞれ収納することができる。
【００２６】
また、前記仕切壁２５０Ｂは、ケース本体２１０Ｂに対して図示しない面ファスナらの取付手段で取り付けておくと、取り外しが可能となるので、ウォーターコンテナＡにおけるコンテナ本体１００Ａと同じものを収納することも可能となるので便利である。
【００２７】
なお、ウォーターコンテナＢのその他の点は、例えば、コンテナ本体１００Ｂの蛇口取付部１２０Ｂ、収納ケース２１０Ｂのケース蓋体２２０Ｂ、スライドファスナ２３０Ｂ、肩掛けベルト２４０Ｂ、蛇口３００Ｂ等は、上述したウォーターコンテナＡと同様であるので、その詳細な説明は省略する。
【００２８】
次に、図４及び図５を参照しつつ、本発明の第３の実施の形態に係るウォーターコンテナＣについて説明する。
このウォーターコンテナＣが、上述したウォーターコンテナＡと相違する点は、コンテナ本体１００Ｃの構成である。なお、このウォーターコンテナ用スタンドＣにおける収納ケースは、上述したウォーターコンテナＡにおける収納ケース２００Ａと同様の構成であるので、図面はそれを引用する。
【００２９】
第３の実施の形態に係るウォーターコンテナＣのコンテナ本体１００Ｃの天面１３０Ｃには、蛇口取付部２１１Ｃより大きな大型開口部（図示省略）が設けられており、この大型開口部には着脱自在のコンテナ蓋体１５０Ｃが設けられている。
【００３０】
このコンテナ本体１００Ｃの天面１３０Ｃ、すなわち蛇口取付部２１１Ｃが形成された側面と直行する上側の面には、外周面に雄ねじが形成された略円筒形状の前記大型開口部が設けられている。この大型開口部は、蛇口取付部２１１Ｃでは内部の洗浄が不十分になること、大きな氷等を入れることができないことを考慮して設けられた。かかる大型開口部には、内周面に前記雄ねじと対応した雌ねじが形成されたコンテナ蓋体１５０Ｃが着脱自在に取り付けられる。
【００３１】
また、コンテナ本体１００Ｃの天面１３０Ｃには、前記大型開口部を挟んで対向する縁部に略三角形状のベルト取付部１４０Ｃが形成されている。このベルト取付部１４０Ｃには、肩掛けベルト５００Ｃの両端に設けられたスナップ部材５１０Ｃが入り込む貫通孔１４１Ｃが開設されている。
【００３２】
このように構成されたコンテナ本体１００Ｃであれば、ベルト取付部１４０Ｃに肩掛けベルト５００Ｃを取り付けると、収納ケース２００Ａなしに肩に掛けることが可能となる。
【００３３】
このようなコンテナ本体１００Ｃであれば、図５に示すように、蛇口３００Ｃを取り外した状態で、天面１３０Ｃを下側に押し付けることで、対向する２つの側面１６０Ｃを略三角形状に折り畳むことで、コンパクトに折り畳むことができる。
【００３４】
また、肩掛けベルト５００Ｃを外した状態で、収納ケース２００Ａに収納すれば、上述したウォーターコンテナＡ等と同様に使用することができる。なお、肩掛けベルト５００Ｃは、収納ケース２００Ａに取り付けられる肩掛けベルト２４０Ａと兼用することも可能である。
【００３５】
上述した３つのウォーターコンテナＡ〜Ｃは、図６に示すウォーターコンテナ用スタンド１０００や、テーブル等に載置して使用される。
【００３６】
【発明の効果】
本発明に係るウォーターコンテナは、水等の液体を貯留する折り畳み可能なコンテナ本体と、このコンテナ本体の側面に設けられた蛇口取付部に取り付けられる蛇口と、前記コンテナ本体を収納する折り畳み可能な収納ケースとを備えており、前記収納ケースには、コンテナ本体を収納ケースに収納した状態で前記蛇口取付部を外部に出させる開口部が開設されており、この開口部から蛇口取付部が外部に出た状態で蛇口が蛇口取付部に取り付けられ、前記収納ケースは断熱構造になっている。
【００３７】
このようなウォーターコンテナであると、従来のハードタイプのウォーターコンテナと同様に貯留した水等を冷たいまま或いは温かいまま保管することができるとともに、非使用時にはコンパクトに折り畳むことができるので大変便利である。
【００３８】
また、前記収納ケースにコンテナ本体を収納した状態で、収納ケースとコンテナ本体との間に保冷剤を入れ込むことが可能な空間が確保できるような構成されていると、水等をより冷たいまま保管することが可能となる。
【００３９】
また、前記コンテナ本体の天面に、蛇口取付部より大きな大型開口部が設けられており、この大型開口部には着脱自在のコンテナ蓋体が設けられていると、コンテナ本体の内部の洗浄や大きな氷等を入れるのに便利である。
【００４０】
さらに、前記コンテナ本体に、肩掛けベルトが取り付けられるベルト取付部が設けられていると、コンテナ本体自身を容易に持ち運ぶことが可能になる。
【図面の簡単な説明】
【図１】本発明の第１の実施の形態に係るウォーターコンテナの概略的分解斜視図である。
【図２】本発明の第１の実施の形態に係るウォーターコンテナの概略的斜視図である。
【図３】本発明の第２の実施の形態に係るウォーターコンテナの概略的分解斜視図である。
【図４】本発明の第３の実施の形態に係るウォーターコンテナに用いられるコンテナ本体の概略的斜視図である。
【図５】本発明の実施の形態に係るウォーターコンテナ用スタンドに用いられるコンテナ本体を折り畳んだ状態を示す概略的斜視図である。
【図６】本発明の第１〜３の実施の形態に係るウォーターコンテナをウォーターコンテナ用スタンドに載置した状態を示す概略的正面図である。
【符号の説明】
１００Ａ  コンテナ本体
１２０Ａ  蛇口取付部
２００Ａ  収納ケース
２１１Ａ  開口部
３００Ａ  蛇口
Ａ        ウォーターコンテナ
【図１】
2005008261.tif 000003
【図２】
2005008261.tif 000004
【図３】
2005008261.tif 000005
【図４】
2005008261.tif 000006
【図５】
2005008261.tif 000007
【図６】
2005008261.tif 000008